【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
ネットワーク通信の方法であって、前記方法は、
第１の通信媒体を介して、第１の通信リンクをローカル通信ネットワークのサービスプロバイダデバイスと電気車両との間に確立することと、
前記第１の通信リンクを確立した後、前記サービスプロバイダデバイスから前記電気車両に電力線媒体を介して電力を供給することと、
前記サービスプロバイダデバイスを遠隔通信ネットワークに前記電力線媒体を介して通信結合することと、
前記電力線媒体を介して、第２の通信リンクを前記サービスプロバイダデバイスと前記電気車両との間に確立することと、ここにおいて、前記第２の通信リンクは、前記遠隔通信ネットワークのネットワークデバイスと通信するために前記電気車両で使用可能である、
を備える方法。
【請求項２】
前記第１の通信リンクを前記確立することは、
前記サービスプロバイダデバイスから、第１のフレームを前記電気車両に、前記第１の通信媒体を介して伝達することを備える、請求項１に記載の方法。
【請求項３】
前記サービスプロバイダデバイスを前記遠隔通信ネットワークと前記通信結合することは、
前記サービスプロバイダデバイスから、第２のフレームを前記遠隔通信ネットワークの前記ネットワークデバイスに、前記電力線媒体を介して伝達することを備える、請求項１に記載の方法。
【請求項４】
前記サービスプロバイダデバイスを前記遠隔通信ネットワークに前記通信結合することは、前記サービスプロバイダデバイスと前記電気車両との間に前記第１の通信リンクを確立することに対応し、前記電気車両が前記ローカル通信ネットワークの一部であるとの決定をすることに対応する、請求項１に記載の方法。
【請求項５】
定期的な時間間隔で、前記第１の通信媒体と前記電力線媒体との間の通信を切り換えること、または
少なくとも一部には、前記第１の通信媒体または前記電力線媒体を介する通信のメッセージが入手可能であるかどうかに基づいて、前記第１の通信媒体と前記電力線媒体との間の通信を切り換えること
をさらに備える、請求項１に記載の方法。
【請求項６】
前記サービスプロバイダデバイスを前記遠隔通信ネットワークに前記通信結合することは、
前記サービスプロバイダデバイスが、前記第１の通信媒体を介して通信することから前記電力線媒体を介して通信することに切り換えるために、前記電気車両から通知を受信すること、または
前記サービスプロバイダデバイスは、前記電気車両と通信結合されるとの決定をすること
のうちの１つに対応する、請求項１に記載の方法。
【請求項７】
前記サービスプロバイダデバイスを前記遠隔通信ネットワークに前記通信結合することは、
前記電気車両に、前記電力線媒体を介して前記遠隔通信ネットワークと通信結合させるために、前記電気車両に、前記第１の通信媒体を介して通信することから前記電力線媒体を介して通信することに切り換えるように命令する通知を前記電気車両に送信することを備える、請求項１に記載の方法。
【請求項８】
前記第１の通信リンクを前記第１の通信媒体を介して確立した後、
前記サービスプロバイダデバイスを、前記第１の通信媒体を介して通信することから前記電力線媒体を使用して通信することに切り換える時刻を決定することと、
前記サービスプロバイダデバイスが、決定された前記時刻に前記電力線媒体に切り換えることと
をさらに備える、請求項１に記載の方法。
【請求項９】
前記電力線媒体を介して通信することに切り換えることを前記電気車両に通知するかどうかを決定すること、
前記電力線媒体を介して通信することに切り換えることを前記電気車両に通知することを決定することに対応して、
前記電気車両が前記電力線媒体を介して通信することに切り換えるべき前記時刻を少なくとも示す１つ以上の通知メッセージを前記電気車両に送信すること
をさらに備える、請求項８に記載の方法。
【請求項１０】
前記電気車両は、プラグイン電気車両（ＰＥＶ）またはハイブリッドプラグイン車両（ＨＰＶ）であり、前記サービスプロバイダデバイスは、電気車両供給設備（ＥＶＳＥ）である、請求項１に記載の方法。
【請求項１１】
前記第１の通信媒体は、前記サービスプロバイダデバイスと前記電気車両とを結合する充電ハーネスのグランド線とパイロット線とを備え、
ここにおいて、前記電力線媒体は、
前記充電ハーネスの第１の電力供給線および第２の電力供給線と、
前記充電ハーネスの前記第１の電力供給線および前記グランド線と、
前記充電ハーネスの前記第２の電力供給線および前記グランド線と
から成るグループの少なくとも１つのメンバを備える、請求項１に記載の方法。
【請求項１２】
前記サービスプロバイダデバイスを前記遠隔通信ネットワークに前記通信結合することは、
前記サービスプロバイダデバイスを、前記第１の通信媒体を介して通信することから前記第１の通信媒体および前記電力線媒体の組合せである複合通信媒体を介して通信することに切り換えることを備える、請求項１に記載の方法。
【請求項１３】
前記複合通信媒体は、前記サービスプロバイダデバイスと前記電気車両とを結合する充電ハーネスの少なくともグランド線、パイロット線、第１の電力供給線、および第２の電力供給線の組合せで形成される、請求項１２に記載の方法。
【請求項１４】
前記サービスプロバイダデバイスを前記複合通信媒体に前記切り換えることは、
第１の切換デバイスを使用して、前記パイロット線を前記第１の電力供給線と結合することと、
第２の切換デバイスを使用して、前記グランド線を前記第２の電力供給線を結合することと
を備える、請求項１３に記載の方法。
【請求項１５】
前記サービスプロバイダデバイスを前記複合通信媒体に前記切り換えることは、
前記サービスプロバイダデバイスを、前記ローカル通信ネットワークと、前記遠隔通信ネットワークとに、同時に結合することを備える、請求項１２に記載の方法。
【請求項１６】
前記複合通信媒体を介してフレームを送信することをさらに備え、前記フレームを送信することは、
前記フレームを前記ローカル通信ネットワークの前記第１の通信媒体と前記電力線媒体の両方を介して送信することと、
少なくとも一部には前記フレーム内の情報に基づいて、前記フレームを前記ローカル通信ネットワークへ前記第１の通信媒体を介して送信する、もしくは前記フレームを前記電力線媒体を介して前記遠隔通信ネットワークへ送信することと
から成るグループの少なくとも１つのメンバを備える、請求項１２に記載の方法。
【請求項１７】
前記複合通信媒体に切り換えた後、前記電力線媒体を介して前記遠隔通信ネットワークの少なくとも前記ネットワークデバイスに第１のフレームを伝達することと、前記電気車両に第２のフレームを、前記第１の通信媒体を介して同時に伝達することとをさらに備える、請求項１２に記載の方法。
【請求項１８】
前記サービスプロバイダデバイスを前記遠隔通信ネットワークに前記通信結合することは、
前記電力線媒体によって前記遠隔通信ネットワークの前記ネットワークデバイスと関連付けられた１つ以上のセキュリティ資格証明を決定することと、
前記１つ以上のセキュリティ資格証明を使用して、前記ネットワークデバイスと関連付けられた第１の論理ネットワークをつなぐことと、
前記ネットワークデバイスと関連付けられた前記第１の論理ネットワークをつなぐことに対応して、前記ネットワークデバイスに関連付けられた前記第１の論理ネットワークおよび前記電気車両と関連付けられた第２の論理ネットワークの一部に同時になることと
を備える、請求項１に記載の方法。
【請求項１９】
前記１つ以上のセキュリティ資格証明を前記決定することは、
前記遠隔通信ネットワークの前記ネットワークデバイスから前記１つ以上のセキュリティ資格証明を受信することと、
前記１つ以上のセキュリティ資格証明に既定のメモリ位置からアクセスすることと
から成るグループの少なくとも１つのメンバを備える、請求項１８に記載の方法。
【請求項２０】
前記遠隔通信ネットワークの前記ネットワークデバイスと関連付けられた１つ以上のセキュリティ資格証明を決定することと、
前記１つ以上のセキュリティ資格証明を使用して、前記ネットワークデバイスと関連付けられた論理ネットワークをつなぐことと、
前記１つ以上のセキュリティ資格証明を前記電気車両に与えるかどうかを決定することと、
前記１つ以上のセキュリティ資格証明を前記電気車両に与えると決定することに対応して、
前記電気車両に、前記ネットワークデバイスと関連付けられた前記論理ネットワークをつながせるために、前記１つ以上のセキュリティ資格証明を前記電気車両に送信することと、
前記１つ以上のセキュリティ資格証明を前記電気車両に与えないと決定することに対応して、
前記電気車両が、前記サービスプロバイダデバイスを介して前記遠隔通信ネットワークの前記ネットワークデバイスと通信できるようにすることと
をさらに備える、請求項１に記載の方法。
【請求項２１】
前記電気車両および前記サービスプロバイダデバイスのそれぞれは、電源線通信（ＰＬＣ）デバイスを備える、請求項１に記載の方法。
【請求項２２】
前記電気車両および前記サービスプロバイダデバイスのそれぞれは、ＨｏｍｅＰｌｕｇ通信デバイスを備える、請求項１に記載の方法。
【請求項２３】
第１のフレームを前記サービスプロバイダデバイスから前記電気車両へ、前記第１の通信媒体を介して第１の送信電力レベルで送信することと、
前記第１の通信リンクを前記サービスプロバイダデバイスと前記電気車両との間に確立した後、
前記サービスプロバイダデバイスと関連付けられた送信電力を、前記第１の送信電力レベルよりも大きい第２の送信電力レベルまで増大させることと、
第２のフレームを前記遠隔通信ネットワークの前記ネットワークデバイスへ、前記電力線媒体を介し前記第２の送信電力レベルを使用して送信することと
をさらに備える、請求項１に記載の方法。
【請求項２４】
ネットワーク通信のための方法であって、前記方法は、
第１の通信媒体を介して、第１の通信リンクを電気車両とローカル通信ネットワークのサービスプロバイダデバイスとの間に確立することと、
電力線媒体を介して前記サービスプロバイダデバイスから前記電気車両で電力を受けることと、
前記電気車両を遠隔通信ネットワークに、前記電力線媒体を介して通信結合することと、
前記電力線媒体を介して、第２の通信リンクを前記電気車両と前記サービスプロバイダデバイスとの間に確立することと、ここにおいて、前記第２の通信リンクは、前記遠隔通信ネットワークのネットワークデバイスと通信するために前記電気車両で使用可能である、
を備える、方法。
【請求項２５】
前記第１の通信リンクを前記確立することは、
前記電気車両から、第１のフレームを前記サービスプロバイダデバイスに、前記第１の通信媒体を介して伝達することを備え、
前記第２の通信リンクを前記確立することは、
前記電気車両から、第２のフレームを前記遠隔通信ネットワークの前記ネットワークデバイスに、前記電力線媒体を介して伝達すること
を備える、請求項２４に記載の方法。
【請求項２６】
前記第１の通信リンクを前記第１の通信媒体を介して確立した後、
前記第１の通信媒体を介して通信することから前記電力線媒体を介して通信することに切り換える時刻を決定することと、
前記電気車両を前記遠隔通信ネットワークに前記電力線媒体を介して通信結合するために、前記サービスプロバイダデバイスに、決定された前記時刻に前記電力線媒体を介して通信することに切り換えさせることと
をさらに備える、請求項２４に記載の方法。
【請求項２７】
前記電力線媒体を介して通信することに切り換えることを前記サービスプロバイダデバイスに通知するかどうかを決定することと、
前記電力線媒体を介して通信することに切り換えることを前記サービスプロバイダデバイスに通知することを決定することに対応して、
前記サービスプロバイダデバイスが前記電力線媒体を介して通信することに切り換えるべき時刻を少なくとも示す１つ以上の通知メッセージを、前記サービスプロバイダデバイスに送信することと
をさらに備える、請求項２６に記載の方法。
【請求項２８】
前記第１の通信媒体は、前記サービスプロバイダデバイスと前記電気車両を結合する充電ハーネスのグランド線とパイロット線とを備え、
ここにおいて、前記電力線媒体は、
前記充電ハーネスの第１の電力供給線および第２の電力供給線と、
前記充電ハーネスの前記第１の電力供給線および前記グランド線と、
前記充電ハーネスの前記第２の電力供給線および前記グランド線と
から成るグループの少なくとも１つのメンバを備える、請求項２４に記載の方法。
【請求項２９】
前記電気車両を前記遠隔通信ネットワークに、前記電力線媒体を介して前記通信結合することは、
前記電気車両を、前記第１の通信媒体を介して通信することから前記第１の通信媒体および前記電力線媒体の組合せである複合通信媒体を介して通信することに切り換えること
を備える、請求項２４に記載の方法。
【請求項３０】
前記複合通信媒体は、前記サービスプロバイダデバイスと前記電気車両とを結合する充電ハーネスの少なくともグランド線、パイロット線、第１の電力供給線、および第２の電力供給線の組合せで形成される、請求項２９に記載の方法。
【請求項３１】
前記電気車両を前記複合通信媒体に前記切り換えることは、
前記電気車両を、前記第１の通信媒体を介して前記ローカル通信ネットワークと、前記電力線媒体を介して前記遠隔通信ネットワークとに、同時に結合すること
を備える、請求項２９に記載の方法。
【請求項３２】
前記第２の通信リンクを前記確立することは、
前記遠隔通信ネットワークの前記ネットワークデバイスと関連付けられた１つ以上のセキュリティ資格証明が前記電気車両において受信されるかどうかを決定することと、
前記１つ以上のセキュリティ資格証明が前記電気車両において受信されるとの決定をすることに対応して、
前記１つ以上のセキュリティ資格証明を使用して、前記ネットワークデバイスと関連付けられた論理ネットワークをつなぐことと、
前記１つ以上のセキュリティ資格証明が前記電気車両において受信されないとの決定をすることに対応して、
前記電気車両に、前記サービスプロバイダデバイスを介して、前記遠隔通信ネットワークの前記ネットワークデバイスと通信させることと
を備える、請求項２４に記載の方法。
【請求項３３】
前記電気車両および前記サービスプロバイダデバイスのそれぞれは、電源線通信（ＰＬＣ）デバイスを備える、請求項２４に記載の方法。
【請求項３４】
第１のフレームを前記電気車両から前記サービスプロバイダデバイスへ、前記第１の通信媒体を介して第１の送信電力レベルで送信することと、
前記第１の通信リンクを前記電気車両と前記サービスプロバイダデバイスとの間に確立した後、
前記電気車両と関連付けられた送信電力を、前記第１の送信電力レベルよりも大きい第２の送信電力レベルまで増大させることと、
第２のフレームを前記遠隔通信ネットワークの前記ネットワークデバイスへ、前記電力線媒体を介し前記第２の送信電力レベルを使用して送信することと
をさらに備える、請求項２４に記載の方法。
【請求項３５】
サービスプロバイダデバイスの１つ以上のプロセッサで実行されたときに前記サービスプロバイダデバイスに、
第１の通信媒体を介して、第１の通信リンクをローカル通信ネットワークの前記サービスプロバイダデバイスと電気車両との間に確立することと、
前記第１の通信リンクを確立した後、電力線媒体を介して前記サービスプロバイダデバイスから前記電気車両に電力を供給することと、
前記サービスプロバイダデバイスを遠隔通信ネットワークに、前記電力線媒体を介して通信結合することと、
前記電力線媒体を介して、第２の通信リンクを前記サービスプロバイダデバイスと前記電気車両との間に確立することと、ここにおいて、前記第２の通信リンクは、前記遠隔通信ネットワークのネットワークデバイスと通信するために前記電気車両で使用可能である、
を備える動作を実行させる命令が保存されている、機械可読記憶媒体。
【請求項３６】
前記動作は、
前記電力線媒体を介して通信することに切り換えることを前記電気車両に通知するかどうかを決定すること、
前記電力線媒体を介して通信することに切り換えることを前記電気車両に通知することを決定することに対応して、
前記電気車両が前記電力線媒体を介して通信することに切り換えるべき時刻を少なくとも示す１つ以上の通知メッセージを前記電気車両に送信すること
をさらに備える、請求項３５に記載の機械可読記憶媒体。
【請求項３７】
前記第１の通信媒体は、前記サービスプロバイダデバイスと前記電気車両とを結合する充電ハーネスのグランド線とパイロット線とを備え、
ここにおいて、前記電力線媒体は、
前記充電ハーネスの第１の電力供給線および第２の電力供給線と、
前記充電ハーネスの前記第１の電力供給線および前記グランド線と、
前記充電ハーネスの前記第２の電力供給線および前記グランド線と
から成るグループの少なくとも１つのメンバを備える、請求項３５に記載の機械可読記憶媒体。
【請求項３８】
前記サービスプロバイダデバイスを前記遠隔通信ネットワークに通信結合する前記動作は、
前記サービスプロバイダデバイスを前記ローカル通信ネットワークと前記遠隔通信ネットワークとに同時に結合するために、前記サービスプロバイダデバイスを、前記第１の通信媒体を介して通信することから前記第１の通信媒体および前記電力線媒体の組合せである複合通信媒体を介して通信することに切り換えること
を備える、請求項３５に記載の機械可読記憶媒体。
【請求項３９】
前記サービスプロバイダデバイスを前記遠隔通信ネットワークに通信結合する前記動作は、
前記電力線媒体によって前記遠隔通信ネットワークの前記ネットワークデバイスと関連付けられた１つ以上のセキュリティ資格証明を決定することと、
前記１つ以上のセキュリティ資格証明を使用して、前記ネットワークデバイスと関連付けられた第１の論理ネットワークをつなぐことと、
前記ネットワークデバイスに関連付けられた前記第１の論理ネットワークをつなぐことに対応して、前記ネットワークデバイスと関連付けられた前記第１の論理ネットワーク、および前記電気車両と関連付けられた第２の論理ネットワークの一部に同時になることと
を備える、請求項３５に記載の機械可読記憶媒体。
【請求項４０】
ネットワークインターフェースと、
前記ネットワークインターフェースに結合された通信ユニットと
を備えるサービスプロバイダデバイスであって、前記通信ユニットは、
第１の通信媒体を介して、第１の通信リンクをローカル通信ネットワークの前記サービスプロバイダデバイスと電気車両との間に確立するように、
前記第１の通信リンクを確立した後、前記サービスプロバイダデバイスから前記電気車両に電力線媒体を介して電力を供給するように、
前記サービスプロバイダデバイスを遠隔通信ネットワークに、前記電力線媒体を介して通信結合するように、および
前記電力線媒体を介して、第２の通信リンクを前記サービスプロバイダデバイスと前記電気車両との間に確立するように、ここにおいて、前記第２の通信リンクは、前記遠隔通信ネットワークのネットワークデバイスと通信するために前記電気車両で使用可能である、
動作可能である、サービスプロバイダデバイス。
【請求項４１】
前記第１の通信媒体は、前記サービスプロバイダデバイスと前記電気車両とを結合する充電ハーネスのグランド線とパイロット線とを備え、
ここにおいて、前記電力線媒体は、
前記充電ハーネスの第１の電力供給線および第２の電力供給線と、
前記充電ハーネスの前記第１の電力供給線および前記グランド線と、
前記充電ハーネスの前記第２の電力供給線および前記グランド線と
から成るグループの少なくとも１つのメンバを備える、請求項４０に記載のサービスプロバイダデバイス。
【請求項４２】
前記サービスプロバイダデバイスを前記遠隔通信ネットワークに通信結合するように動作可能な前記通信ユニットは、
前記サービスプロバイダデバイスを前記ローカル通信ネットワークと前記遠隔通信ネットワークとに同時に結合するために、前記サービスプロバイダデバイスを、前記第１の通信媒体を介して通信することから前記第１の通信媒体および前記電力線媒体の組合せである複合通信媒体を介して通信することに切り換える
ように動作可能な前記通信ユニットを備える、請求項４０に記載のサービスプロバイダデバイス。
【請求項４３】
前記サービスプロバイダデバイスを前記遠隔通信ネットワークに通信結合するように動作可能な前記通信ユニットは、
前記電力線媒体によって前記遠隔通信ネットワークの前記ネットワークデバイスと関連付けられた１つ以上のセキュリティ資格証明を決定するように、
前記１つ以上のセキュリティ資格証明を使用して、前記ネットワークデバイスと関連付けられた第１の論理ネットワークをつなぐように、および
前記ネットワークデバイスに関連付けられた前記第１の論理ネットワークをつなぐことに対応して、前記ネットワークデバイスと関連付けられた前記第１の論理ネットワークと、前記電気車両と関連付けられた第２の論理ネットワークとを同時につなぐ
ように動作可能な前記通信ユニットを備える、請求項４０に記載のサービスプロバイダデバイス。